(57)【要約】【課題】光源装置以外の光学部品の劣化を抑え、製品寿命を長くすることが可能な投射型表示装置及び投射型表示装置の制御方法を提供する。【解決手段】プロジェクター１は、固体光源を含み、光を射出する光源装置２と、光源装置２から射出された光を変調する光変調装置４と、光変調装置４で変調された画像光を投射する投射光学系６と、を備えている。プロジェクター１の制御部３１は、光源装置２の累積点灯時間が長くなるほど光源装置２に入力される電力を減少させる第１制御を実行した後に、光源装置２の累積点灯時間が長くなるほど光源装置に入力される電力を増加させる第２制御を実行する。【選択図】図４
2020067492.tif 000002
【特許請求の範囲】
【請求項１】
固体光源を含み、光を射出する光源装置と、
前記光源装置から射出された光を変調する光変調装置と、
前記光変調装置で変調された画像光を投射する投射光学系と、
前記光源装置に入力される入力電力を制御する制御部と、
を備え、
前記制御部は、前記光源装置の累積点灯時間が長くなるほど前記入力電力を減少させる第１制御を実行した後に、前記光源装置の累積点灯時間が長くなるほど前記入力電力を増加させる第２制御を実行することを特徴とする投射型表示装置。
【請求項２】
前記第２制御は、前記光源装置の出力である光源出力が第１出力で維持されるように前記入力電力を増加させる制御であることを特徴とする請求項１に記載の投射型表示装置。
【請求項３】
前記光源装置の前記累積点灯時間と前記入力電力との対応関係を記憶する記憶部をさらに備え、
前記制御部は、前記対応関係に基づいて、前記入力電力を決定することを特徴とする請求項１または２に記載の投射型表示装置。
【請求項４】
前記制御部は、前記累積点灯時間が第１累積点灯時間に達するまで、前記第１制御を実行し、
前記累積点灯時間が前記第１累積点灯時間を超えた場合、前記第２制御を実行することを特徴とする請求項３に記載の投射型表示装置。
【請求項５】
前記光源装置から射出された光の光強度を測定する測定部をさらに備え、
前記制御部は、前記測定部により測定された前記光強度に基づいて、前記入力電力を決定することを特徴とする請求項１または２に記載の投射型表示装置。
【請求項６】
前記制御部は、前記光強度が第１光強度よりも大きい場合、前記第１制御を実行し、
前記光強度が前記第１光強度以下になった場合、前記第２制御を実行することを特徴とする請求項５に記載の投射型表示装置。
【請求項７】
前記光源装置は、
励起光を射出する励起光源と、
前記励起光により励起され、蛍光を生成する蛍光素子と、
を備えることを特徴とする請求項１乃至６のいずれか一項に記載の投射型表示装置。
【請求項８】
固体光源を含み、光を射出する光源装置と、前記光源装置から射出された光を変調する光変調装置と、前記光変調装置で変調された画像光を投射する投射光学系と、を備える投射型表示装置の制御方法であって、
前記光源装置の累積点灯時間が長くなるほど前記光源装置に入力される入力電力を減少させる第１制御を実行し、
前記第１制御の後で、前記累積点灯時間が長くなるほど前記入力電力を増加させる第２制御を実行することを特徴とする投射型表示装置の制御方法。
【発明の詳細な説明】
【技術分野】
【０００１】
本願は、投射型表示装置及び投射型表示装置の制御方法に関する。
【背景技術】
【０００２】
従来、光源装置から射出された光を画像情報に基づいて変調し、画像光を投射する投射型表示装置が知られている。例えば、特許文献１には、光源装置としてレーザーダイオード（ＬＤ）などの固体光源を用いることで、光源装置の長寿命化を図った投射型映像表示装置が提案されている。
【先行技術文献】
【特許文献】
【０００３】
【特許文献１】特開２０１３−３３０８６号公報
【発明の概要】
【発明が解決しようとする課題】
【０００４】
しかしながら、光源装置の長寿命化に伴い、光源装置以外の光学部品が光に晒される時間も増加する。そのため、光源装置に固体光源を用いた投射型表示装置では、光源装置以外の光学部品への光量負荷が増大し、光源装置以外の光学部品が光源装置よりも早く劣化してしまうケースが生じている。光源装置以外の光学部品が劣化した場合、画像光が正しく投射できなくなる場合があり、結果として投射型表示装置の製品寿命が短くなるという問題がある。
【課題を解決するための手段】
【０００５】
本願の投射型表示装置は、固体光源を含み、光を射出する光源装置と、前記光源装置から射出された光を変調する光変調装置と、前記光変調装置で変調された画像光を投射する投射光学系と、前記光源装置に入力される入力電力を制御する制御部と、を備え、前記制御部は、前記光源装置の累積点灯時間が長くなるほど前記入力電力を減少させる第１制御を実行した後に、前記光源装置の累積点灯時間が長くなるほど前記入力電力を増加させる第２制御を実行することを特徴とする。
【０００６】
この投射型表示装置において、前記第２制御は、前記光源装置の出力である光源出力が第１出力で維持されるように前記入力電力を増加させる制御であることが好ましい。
【０００７】
この投射型表示装置において、前記光源装置の前記累積点灯時間と前記入力電力との対応関係を記憶する記憶部をさらに備え、前記制御部は、前記対応関係に基づいて、前記入力電力を決定することが好ましい。
【０００８】
この投射型表示装置において、前記制御部は、前記累積点灯時間が第１累積点灯時間に達するまで、前記第１制御を実行し、前記累積点灯時間が前記第１累積点灯時間を超えた場合、前記第２制御を実行することが好ましい。
【０００９】
この投射型表示装置において、前記光源装置から射出された光の光強度を測定する測定部をさらに備え、前記制御部は、前記測定部により測定された前記光強度に基づいて、前記入力電力を決定することが好ましい。
【００１０】
この投射型表示装置において、前記制御部は、前記光強度が第１光強度よりも大きい場合、前記第１制御を実行し、前記光強度が前記第１光強度以下になった場合、前記第２制御を実行することが好ましい。
【００１１】
この投射型表示装置において、前記光源装置は、励起光を射出する励起光源と、前記励起光により励起され、蛍光を生成する蛍光素子と、を備えることが好ましい。
【００１２】
本願の投射型表示装置の制御方法は、固体光源を含み、光を射出する光源装置と、前記光源装置から射出された光を変調する光変調装置と、前記光変調装置で変調された画像光を投射する投射光学系と、を備える投射型表示装置の制御方法であって、前記光源装置の累積点灯時間が長くなるほど前記光源装置に入力される入力電力を減少させる第１制御を実行し、前記第１制御の後で、前記累積点灯時間が長くなるほど前記入力電力を増加させる第２制御を実行することを特徴とする。
【図面の簡単な説明】
【００１３】
【図１】第１実施形態のプロジェクターの光学的な構成を表す概略構成図。
【図２】第１実施形態のプロジェクターの光源装置の構成を表す概略構成図。
【図３】第１実施形態のプロジェクターの機能的構成を表すブロック図。
【図４】第１実施形態のプロジェクターの動作を示すフローチャート。
【図５】第１実施形態における光源装置の累積点灯時間に対する入力電力の推移及び光源装置の累積点灯時間に対する光源出力の推移を示すグラフ。
【図６】第１実施形態における光源装置の累積点灯時間に対する光源出力の推移及び他の光学部品への光量負荷の推移を示すグラフ。
【図７】第２実施形態における光源装置の累積点灯時間に対する入力電力の推移及び光源装置の累積点灯時間に対する光源出力の推移を示すグラフ。
【図８】第２実施形態における光源装置の累積点灯時間に対する光源出力の推移及び他の光学部品への光量負荷の推移を示すグラフ。
【図９】第３実施形態におけるプロジェクターの光学的な構成を表す概略構成図。
【図１０】第３実施形態におけるプロジェクターの機能的構成を表すブロック図。
【図１１】第３実施形態におけるプロジェクターの動作を示すフローチャート。
【発明を実施するための形態】
【００１４】
（第１実施形態）
以下に図面を参照して、第１実施形態に係る投射型表示装置について詳細に説明する。
【００１５】
図１は投射型表示装置としてのプロジェクター１の光学的な構成を表す概略構成図である。
図１に示すように、プロジェクター１は、光源装置２と、色分離導光光学系３と、光変調装置４と、色合成光学系５と、投射光学系６と、を備える。投射光学系６の拡大側結像面にはスクリーンＳＣＲが配置されている。
【００１６】
本実施形態において、光変調装置４は、３枚の液晶ライトバルブ４Ｒ，４Ｇ，４Ｂで構成されている。光変調装置４の３枚の液晶ライトバルブ４Ｒ，４Ｇ，４Ｂは、それぞれ、液晶パネル、光入射側偏光板及び光射出側偏光板（何れも図示省略）を備える。光変調装置４は、入射する光の強度の空間分布を画素単位で変調して投射用の画像光を形成する。
【００１７】
色分離導光光学系３は、ダイクロイックミラー７ａ，７ｂ、反射ミラー８ａ，８ｂ，８ｃ及びリレーレンズ９ａ，９ｂ、を備えている。色分離導光光学系３は、光源装置２から入射した合成光ＷＬを赤色光成分ＬＲ、緑色光成分ＬＧ及び青色光成分ＬＢの各色光に分離して液晶ライトバルブ４Ｒ，４Ｇ，４Ｂにそれぞれ導光する。
【００１８】
ダイクロイックミラー７ａ，７ｂは、所定の波長帯域の光を反射し、それ以外の波長帯域の光を通過させる波長選択透過膜が透明基板上に形成されたミラーである。具体的には、ダイクロイックミラー７ａは赤色光成分ＬＲを通過させ、緑色光成分ＬＧ及び青色光成分ＬＢを反射させる。また、ダイクロイックミラー７ｂは青色光成分ＬＢを通過させ、緑色光成分ＬＧを反射させる。
【００１９】
反射ミラー８ａ，８ｂ，８ｃは、合成光ＷＬが各色光に分離された後の光路上に設けられたミラーであり、反射ミラー８ａは赤色光成分ＬＲを反射し、反射ミラー８ｂ，８ｃは青色光成分ＬＢを反射する。リレーレンズ９ａはダイクロイックミラー７ｂと反射ミラー８ｂとの間に配置される。また、リレーレンズ９ｂは、反射ミラー８ｂと反射ミラー８ｃとの間に配置される。本願では、図１に示すように、青色光成分ＬＢの光路の長さが他の色光の光路の長さよりも長いため、光の発散などにより青色光成分ＬＢの利用効率が低下する場合がある。リレーレンズ９ａ及び９ｂは、青色光成分ＬＢの利用効率の低下を防止するために設けられる。
【００２０】
フィールドレンズ１０Ｒ，１０Ｇ，１０Ｂは、反射ミラー８ａで反射された赤色光成分ＬＲ、ダイクロイックミラー７ｂで反射された緑色光成分ＬＧ及び反射ミラー８ｃで反射された青色光成分ＬＢを、液晶ライトバルブ４Ｒ，４Ｇ，４Ｂ上の画像形成領域にそれぞれ集光する。液晶ライトバルブ４Ｒ，４Ｇ，４Ｂは、画像形成領域上に入射した各色光を外部から入力される画像信号に応じて変調し、赤色の画像光、緑色の画像光及び青色の画像光をそれぞれ生成する。
【００２１】
色合成光学系５は、液晶ライトバルブ４Ｒ，４Ｇ，４Ｂから射出された各々の画像光を合成してカラー画像を形成する。具体的には、色合成光学系５は、４つの直角プリズムが貼り合わせて形成された略立方体形状のクロスダイクロイックプリズムである。直角プリズム同士を貼り合わせた略Ｘ字状の界面には、誘電体多層膜が形成されている。略Ｘ字状の一方の界面に形成された誘電体多層膜は赤色光を反射するものであり、他方の界面に形成された誘電体多層膜は青色光を反射するものであり、いずれの誘電体多層膜も緑色光は透過する。これらの誘電体多層膜によって赤色光成分ＬＲ及び青色光成分ＬＢは反射され、緑色光成分ＬＧの進行方向と揃えられることにより、３つの色光が合成される。投射光学系６は、色合成光学系５で合成された画像光をスクリーンＳＣＲに向けて拡大投射する。
【００２２】
続いて、光源装置２について図２を用いて説明する。
図２は図１に示したプロジェクター１の光源装置２の構成を表す概略構成図である。図２に示すように、光源装置２は、固体光源かつ励起光源である第１励起光源１１及び第２励起光源１６と、第１集光レンズ１２及び第２集光レンズ１７と、第１コリメーター１５及び第２コリメーター１９と、蛍光素子１４と、拡散板１８と、ビームスプリッター２０と、一対のマルチレンズアレイ２１と、偏光変換素子２２と、重畳レンズ２３と、を備えている。第２励起光源１６、第２集光レンズ１７、拡散板１８、第２コリメーター１９及びビームスプリッター２０は、光軸ａｘ１上に配置されている。一方、第１励起光源１１、第１集光レンズ１２、蛍光素子１４、第１コリメーター１５、ビームスプリッター２０、一対のマルチレンズアレイ２１、偏光変換素子２２及び重畳レンズ２３は、光軸ａｘ２上に配置されている。光軸ａｘ１と光軸ａｘ２とは、同一平面内にあり、かつ、互いに直交している。
【００２３】
第１励起光源１１及び第２励起光源１６は、励起光ＢＬをそれぞれ射出する。励起光ＢＬは、例えば４４０〜４８０ｎｍの波長域にピーク波長を有する青色光である。第１励起光源１１は、励起光ＢＬを光軸ａｘ２と平行に射出する。第１集光レンズ１２は、第１励起光源１１と蛍光素子１４との間の光路上に配置され、第１励起光源１１から射出された励起光ＢＬを蛍光素子１４の近傍に集光させる。蛍光素子１４は、基板上に蛍光体１３が形成されたものであり、第１励起光源１１から射出された励起光ＢＬを蛍光ＹＬに変換する。蛍光体１３としては、例えば、ＹＡＧ系蛍光体である（Ｙ，Ｇｄ）３（Ａｌ，Ｇａ）５Ｏ１２：Ｃｅを含有するものなどを用いることができる。第１コリメーター１５は、コリメーターレンズ１５ａ及びコリメーターレンズ１５ｂを備えており、蛍光素子１４から射出された蛍光ＹＬを平行化する。平行化された蛍光ＹＬは、ビームスプリッター２０に向けて射出される。
【００２４】
第２励起光源１６は、励起光ＢＬを光軸ａｘ１と平行に射出する。第２集光レンズ１７は、第２励起光源１６と拡散板１８との間の光路上に配置され、第２励起光源１６から射出された励起光ＢＬを拡散板１８の近傍に集光させる。拡散板１８は、第２励起光源１６から射出された励起光ＢＬを拡散させ、均一化する。第２コリメーター１９は、コリメーターレンズ１９ａ及びコリメーターレンズ１９ｂを備えており、拡散板１８から射出された励起光ＢＬを平行化する。平行化された励起光ＢＬは、ビームスプリッター２０に向けて射出される。
【００２５】
ビームスプリッター２０は、蛍光素子１４によって生成された蛍光ＹＬを透過させつつ、第２励起光源１６から射出された励起光ＢＬを反射する。これにより、蛍光素子１４により生成された蛍光ＹＬと第２励起光源１６から射出された励起光ＢＬとが合成された合成光ＷＬが生成される。合成光ＷＬは、第１マルチレンズアレイ２１ａに入射される。
【００２６】
第１マルチレンズアレイ２１ａ及び第２マルチレンズアレイ２１ｂは、一対のマルチレンズアレイ２１を構成しており、合成光ＷＬを複数の部分光束に分割する。第１マルチレンズアレイ２１ａは、複数の小レンズを有しており、これらの複数の小レンズは、光軸ａｘ２と直交する面内において、マトリクス状に配列されている。第２マルチレンズアレイ２１ｂは、第１マルチレンズアレイ２１ａが有する複数の小レンズの各々に対応する複数の小レンズを有する。
【００２７】
偏光変換素子２２は、偏光分離層、反射層及び位相差板（何れも図示省略）を有しており、入射した各部分光束を偏光方向の揃った直線偏光として射出する。重畳レンズ２３は、偏光変換素子２２から入射した各部分光束を集光させる。一対のマルチレンズアレイ２１、偏光変換素子２２及び重畳レンズ２３は、合成光ＷＬの光強度分布を均一化するインテグレーター光学系を構成している。
【００２８】
続いて、プロジェクター１の機能的構成について説明する。
図３はプロジェクター１の機能的構成を表すブロック図である。本実施形態のプロジェクター１は、上記の光学的な構成に加えて、制御部３１と、光源駆動部３２と、記憶部３３と、画像信号入力部３６と、画像処理部３７と、を備えている。なお、図３には、光学的な構成として、光源装置２、光変調装置４及び投射光学系６のみを図示している。
【００２９】
制御部３１は、制御プログラムを実行するプロセッサーを備えて構成され、プロジェクター１の各種動作を統括制御する。また、制御部３１は、プロジェクター１に電源が投入されて光源装置２が点灯してから、プロジェクター１の電源が切られて光源装置２が消灯するまでの点灯時間を計測する。
【００３０】
記憶部３３は、ＲＡＭ（Random Access Memory）、ＲＯＭ（Read Only Memory）などのメモリーを備えて構成され、制御プログラムや各種データを記憶する。本実施形態の記憶部３３は、累積点灯時間記憶部３４と、入力電力記憶部３５と、を含んでいる。
【００３１】
累積点灯時間記憶部３４は、光源装置２の点灯時間の積算値である累積点灯時間を記憶している。累積点灯時間は、制御部３１によって適宜更新される。つまり、制御部３１は、累積点灯時間記憶部３４に記憶されている累積点灯時間に、計測した点灯時間を加算し、加算後の累積点灯時間を累積点灯時間記憶部３４に記憶させる。
【００３２】
入力電力記憶部３５は、光源装置２の累積点灯時間と、その累積点灯時間が経過した時点で光源装置２に入力すべき入力電力との対応関係を記憶している。本実施形態では、この対応関係はルックアップテーブル（ＬＵＴ）として記憶されるが、これ以外の方式で記憶されてもよい。例えば、累積点灯時間から光源装置２に入力すべき電力を導出する計算式として記憶されていてもよい。
【００３３】
光源駆動部３２は、制御部３１からの指示に基づいて光源装置２を駆動する。具体的には、制御部３１は、上記のルックアップテーブルに基づいて入力電力を決定して光源駆動部３２に通知し、光源駆動部３２は、通知された入力電力が光源装置２に入力されるように光源装置２を駆動する。このように、制御部３１は、光源駆動部３２を介して光源装置２の入力電力を制御する。
【００３４】
画像信号入力部３６は、外部ソース３８から入力される画像信号を受け付けるインターフェイスである。外部ソース３８としては、例えば、ＰＣやタブレット端末などが挙げられる。また、ネットワーク経由で画像信号を受け付けてもよい。画像処理部３７は、画像信号入力部３６を介して外部ソース３８から入力された画像信号を処理して、画像信号に対応する画像を光変調装置４に形成させる。この結果、光源装置２から射出された光は、光変調装置４で画像信号に応じて変調されて画像光となり、投射光学系６からスクリーンＳＣＲに投射される。
【００３５】
本実施形態におけるプロジェクター１の制御方法について、図４を用いて説明する。
図４は、プロジェクター１の動作を示すフローチャートである。図４に示すように、プロジェクター１に電源が投入されると（ステップＳ１）、制御部３１は、その時点における光源装置２の累積点灯時間を累積点灯時間記憶部３４から読み出す（ステップＳ２）。続いて、制御部３１は、読み出した累積点灯時間の値に対応する光源装置２への入力電力の値を、入力電力記憶部３５に記憶されているルックアップテーブルに基づいて決定する（ステップＳ３）。光源駆動部３２は、制御部３１の指示に基づいて決定された入力電力を光源装置２に入力する（ステップＳ４）。これにより、光源装置２から合成光ＷＬが射出される。また、制御部３１は、新たに計測した光源装置２の点灯時間を累積点灯時間に加算して累積点灯時間記憶部３４に記憶させる（ステップＳ５）。そして、プロジェクター１の電源が切られるまで、上記のステップＳ２からステップＳ５を周期的に繰り返す（ステップＳ６）。
【００３６】
ここで、光源装置２の制御方法について説明する。
図５は、光源装置２の累積点灯時間に対する入力電力の推移及び光源装置２の累積点灯時間に対する光源出力の推移を示すグラフである。光源出力とは、光源装置２の出力であり、光源装置２の光量、即ち、光源装置２が発する光の明るさに対応する指標である。光源出力が大きいことは、光源装置２の光量が大きいこと、即ち、光源装置２から発せられる光が明るいことを意味する。図５以降に示す図において、入力電力の値が１００％のとき、光源装置２の定格電力が光源装置２へ入力されていることを示す。また、光源出力の値が１００％とは、光源装置２が全く劣化しておらず、かつ、定格電力を入力した際に得られる光の出力に相当する。
【００３７】
図５において、直線５３及び直線５４は、それぞれ、本実施形態の比較対象となる比較例における光源装置２への入力電力の推移及びこれに対応する光源装置２の光源出力の推移を示している。また、折れ線５１及び折れ線５２は、本実施形態の制御方法における光源装置２への入力電力の推移及び光源装置２の光源出力の推移を示している。図５に示すとおり、比較例において、入力電力は定格電力で一定であり、光源装置２の累積点灯時間によらない。このとき、光源出力は累積点灯時間の増加とともに緩やかに減少しているが、これは、長時間の点灯により光源装置２自体が劣化するために起こる挙動であり、光源装置２の制御方法によらず発生する。
【００３８】
続いて、本実施形態における光源装置２の制御方法について説明する。本実施形態では、入力電力記憶部３５が記憶している光源装置２の累積点灯時間と入力電力との対応関係は、予め設定された所定の累積点灯時間を境界として変化する。これ以降、上記の所定の累積点灯時間を第１累積点灯時間と呼称する。
【００３９】
具体的には、光源装置２の累積点灯時間が第１累積点灯時間よりも短い範囲において、光源装置２に入力される入力電力の値は、光源装置２の累積点灯時間が長くなるほど減少するように設定されている。一方、光源装置２の累積点灯時間が第１累積点灯時間よりも長い範囲において、光源装置２に入力される入力電力の値は、光源装置２の累積点灯時間が長くなるほど増加するように設定されている。このとき、入力電力の値を増加させる割合は、点灯による光源装置２の劣化に起因する光源出力の低下を相殺するように設定されている。なお、光源装置２に入力される入力電力の値が光源装置２の定格電力と等しくなった場合、それ以降は光源装置２の累積点灯時間によらず光源装置２の定格電力を入力するように設定されている。
【００４０】
制御部３１は、上記の対応関係に基づき、光源駆動部３２を駆動する。よって、光源装置２の累積点灯時間が第１累積点灯時間に達するまで、光源装置２に入力される入力電力の値は、光源装置２の累積点灯時間に対応して徐々に減少していく。そのため、光源装置２の光源出力は、光源装置２を定格電力で駆動した場合よりも早く低下していく。そして、光源装置２の累積点灯時間が第１累積点灯時間を超えた場合、光源装置２に入力される入力電力の値は、光源装置２の累積点灯時間に対応して徐々に増加していく。このとき、光源装置２の劣化による光源出力の低下が相殺されるように入力電力を増加させることにより、光源装置２の光源出力はほぼ一定に維持される。
【００４１】
本実施形態では、これ以降、光源装置２の累積点灯時間が長くなるほど光源装置２に入力する入力電力を減少させるように光源駆動部３２を駆動させる制御を第１制御と呼称し、光源装置２の累積点灯時間が長くなるほど光源装置２に入力する入力電力を増加させるように光源駆動部３２を駆動させる制御を第２制御と呼称する。また、第１累積点灯時間における光源装置２の光源出力の値を第１出力と呼称する。なお、上記説明からも分かるとおり、第１出力の値は１００％よりも小さい値となる。
【００４２】
図５をもとに本実施形態と比較例について比較を行うと、本実施形態の光源制御では、光源装置２の累積点灯時間の値が３００００時間に満たないとき、光源装置２は、光源装置２の累積点灯時間が長くなるほど光源装置２へ入力される入力電力を減少させる第１制御に基づいて駆動される。そして、光源装置２の累積点灯時間の値が３００００時間になるまで第１制御に基づく駆動を継続する。光源装置２の累積点灯時間の値が３００００時間を超えると、光源装置２は、光源装置２の累積点灯時間が長くなるほど光源装置２へ入力される入力電力を増加させる第２制御に基づいて駆動される。
【００４３】
そのため、本実施形態に基づく光源制御では、光源装置２へ定格電力を入力し続ける比較例と比較して、光源装置２の累積点灯時間の値が３００００時間になるまでは、光源出力が早く低下していく。図５では、光源装置２の累積点灯時間が３００００時間のとき、光源出力の値が５０％になるような割合で光源装置２に入力される入力電力を減少させる第１制御を実行している。そして、光源装置２の累積点灯時間が３００００時間を超えた場合、光源出力の値が５０％に維持されるように第２制御が実行される。即ち、図５において、第１累積点灯時間は３００００時間であり、第１出力は５０％である。なお、第１累積点灯時間及び第１出力の値はこれに限定されるものではなく、任意に設定できる。一方、比較例では、光源装置２の累積点灯時間によらず光源装置２に対して定格電力を入力し続けるので、光源装置２の劣化に起因して、光源出力が単調に減少していく。
【００４４】
続いて、本実施形態の光源制御を行った場合の光源装置２以外の光学部品への光量負荷について説明する。
図６は、本実施形態と比較例のそれぞれの光源制御を行った場合における、光源装置２以外の光学部品への光量負荷の推移及び光源装置２の累積点灯時間に対する光源出力の推移を示すグラフである。ここでは、光源装置２以外の光学部品として光変調装置４を例に説明する。光変調装置４への光量負荷が増加すると、光変調装置４としての液晶ライトバルブ４Ｒ，４Ｇ，４Ｂを構成する液晶パネルや偏光板などが劣化し、色むら発生の原因となる。なお、光学部品への光量負荷とは、光学部品の単位面積当たりに照射された累積の光エネルギーであり、図５及び図６において折れ線５２及び直線５４で示した光源出力の推移の積分値に比例する。本実施形態では、光源装置２の累積点灯時間が０のときの光変調装置４の透過率を基準値として、光変調装置４の透過率が基準値の７０％となったとき、光量負荷の値が１００％であると定義する。
【００４５】
図６において、曲線６１は、本実施形態に基づく制御方法における光変調装置４の光量負荷の推移を示し、曲線６３は、比較例に基づく制御方法における光変調装置４の光量負荷の推移を示している。図６に示すとおり、比較例に基づいた光源制御を行った場合、光源装置２の累積点灯時間が約３００００時間で光変調装置４の光量負荷の値が１００％に達している。一方、本実施形態に基づいた光源制御を行った場合、光源装置２の累積点灯時間が約３５０００時間で光変調装置４の光量負荷の値が１００％に達している。つまり、本実施形態に基づく光源制御では、比較例に基づく光源制御に比べて光変調装置４の光量負荷の値が１００％に到達するまでの時間が約５０００時間長くなっている。このため、光変調装置４の透過率が基準値の７０％になるまでの時間を光変調装置４の寿命と定義すると、本実施形態に基づく光源制御を行った場合、比較例に基づく光源制御に対して光変調装置４の寿命を約５０００時間延ばすことができる。
【００４６】
上記のように、本実施形態に基づいた光源制御では、まず光源装置２の累積点灯時間が長くなるほど光源装置２に入力される入力電力を減少させる第１制御を実行する。そして、光源装置２の累積点灯時間の値が第１累積点灯時間まで達したあとに、光源装置２の累積点灯時間が長くなるほど光源装置２に入力される入力電力を増加させる第２制御を実行する。このような光源制御を行うことで、本実施形態では、光源装置２以外の光学部品への光量負荷が比較例に比べて低減されるので、比較例に基づいた光源制御に比べて光源装置２以外の光学部品の寿命を延ばすことができる。よって、プロジェクター１を構成する各光学部品の寿命が延びるので、以ってプロジェクター１全体の製品寿命を延ばすことができる。
【００４７】
（第２実施形態）
続いて、第２実施形態に係るプロジェクター１について説明する。本実施形態のプロジェクター１は、入力電力記憶部３５に記憶されている累積点灯時間と入力電力との対応関係が第１実施形態とは異なっている。それ以外の構成については、第１実施形態と同じであるため、詳細な説明は省略する。
【００４８】
本実施形態において、入力電力記憶部３５が記憶している光源装置２の累積点灯時間と入力電力との対応関係は次のようになる。まず、光源装置２の累積点灯時間が予め設定された第２累積点灯時間が経過するまでの期間は、光源装置２に対して定格電力を入力し続けるように設定されている。光源装置２の累積点灯時間が第２累積点灯時間以上第１累積点灯時間未満の期間は、上記の第１制御に相当する制御を実行するように設定されている。そして、第１累積点灯時間以上の期間は、上記の第２制御に相当する制御を実行し、光源装置２の出力を第１出力で維持するように設定されている。
【００４９】
具体的には、以下のように光源装置２を制御する。なお、プロジェクター１の動作のうち、光源装置２以外の構成に関するもので、かつ、第１実施形態と同様の動作を行うものについては説明を省略する。プロジェクター１に電源が投入されると、制御部３１は、その時点における光源装置２の累積点灯時間を累積点灯時間記憶部３４から読み出す。このとき、累積点灯時間記憶部３４から読み出された累積点灯時間の値が、第２累積点灯時間よりも短い場合、制御部３１は、光源装置２の定格電力を入力電力として設定し、光源装置２に入力するように光源駆動部３２を制御する。
【００５０】
また、累積点灯時間記憶部３４から読み出された累積点灯時間の値が、第２累積点灯時間以上で第１累積点灯時間未満の場合、制御部３１は、光源装置２の累積点灯時間が長くなるほど入力電力を減少させる第１制御に基づいて光源駆動部３２を駆動する。一方、累積点灯時間記憶部３４から読み出された累積点灯時間の値が、第１累積点灯時間以上の場合、制御部３１は、光源装置２の累積点灯時間が長くなるほど入力電力を増加させる第２制御に基づいて光源駆動部３２を駆動する。上記から分かるとおり、第２累積点灯時間の値は、第１累積点灯時間の値よりも小さい値が設定される。
【００５１】
図７は本実施形態の制御方法に基づく光源装置２の累積点灯時間に対する入力電力の推移及び光源装置２の累積点灯時間に対する光源出力の推移を示すグラフである。図７において、直線５３，５４は、それぞれ比較例における光源装置２への入力電力の推移、及びこれに対応する光源装置２の光源出力の推移を示しており、図５に示した直線５３，５４と同じである。また、折れ線７１は、本実施形態の制御方法における光源装置２への入力電力の推移を示し、折れ線７２は、光源装置２の光源出力の推移を示している。即ち、折れ線７１は、ルックアップテーブルで規定されている累積点灯時間と入力電力との対応関係を表している。
【００５２】
図７をもとに本実施形態と比較例について比較を行うと、本実施形態に基づく制御を行った場合、光源装置２の累積点灯時間が第２累積点灯時間よりも短いときに光源装置２に入力される入力電力の値は、１００％即ち光源装置２の定格電力である。よって、累積点灯時間が第２累積点灯時間よりも短い期間では、本実施形態に基づく光源制御は比較例に基づく光源制御と同様の挙動となる。図７の場合、第２累積点灯時間は１００００時間である。ただし、第２累積点灯時間の値はこれに限定されず、適宜変更できる。
【００５３】
光源装置２の累積点灯時間が第２累積点灯時間以上になると、光源装置２の累積点灯時間が長くなるほど光源装置２への入力電力を減少させる第１制御に基づいて光源装置２を駆動する。そして、光源装置２の累積点灯時間の値が第１累積点灯時間に達するまで第１制御に基づく駆動を継続する。図７では、光源装置２の累積点灯時間が２５０００時間のとき、光源出力の値が５０％になるような割合で光源装置２に入力する入力電力を減少させる第１制御を実行している。第１累積点灯時間以降の期間は、光源装置２の累積点灯時間が長くなるほど光源装置２への入力電力を増加させる第２制御を実行している。即ち、図７において、第１累積点灯時間は２５０００時間であり、第１出力は５０％である。無論、本実施形態においても、第１累積点灯時間及び第１出力の値を任意に設定できることは言うまでもない。
【００５４】
そのため、本実施形態に基づく光源制御では、光源装置２の累積点灯時間が第２累積点灯時間以上、かつ、第１累積点灯時間未満の期間において、光源装置２へ定格電力を入力し続ける比較例と比較して光源出力が早く低下していく。また、光源装置２の累積点灯時間が第１累積点灯時間以上の期間では、光源出力の値は５０％に維持される。一方、比較例に基づく光源制御では光源装置２へ定格電力を入力し続けるので、光源装置２の劣化に起因して光源出力が単調に減少していく。
【００５５】
続いて、本実施形態に基づく光源制御を行った場合の光源装置２以外の光学部品への光量負荷について説明する。
図８は、本実施形態と比較例のそれぞれに基づく光源制御を行った場合における、光源装置２以外の光学部品への光量負荷の推移及び光源装置２の累積点灯時間に対する光源出力の推移を示すグラフである。ここでは、光源装置２以外の光学部品として光変調装置４を例に説明する。なお、本実施形態における光学部品への光量負荷の定義は、第１実施形態の場合と同様である。
【００５６】
図８において、曲線８１は、本実施形態に基づく制御方法における光変調装置４の光量負荷の推移を示し、曲線６３は、比較例に基づく制御方法における光変調装置４の光量負荷の推移を示している。図８に示すとおり、比較例に基づいた光源制御を行った場合、光源装置２の累積点灯時間が約３００００時間で光変調装置４の光量負荷の値が１００％に達している。一方、本実施形態に基づいた光源制御を行った場合、光源装置２の累積点灯時間が約３７０００時間で光変調装置４の光量負荷の値が１００％に達している。つまり、本実施形態に基づく光源制御では、比較例に基づく光源制御に比べて光変調装置４の光量負荷の値が１００％に到達するまでの時間が約７０００時間長くなっている。換言すると、本実施形態に基づく光源制御を行った場合、比較例に基づく光源制御に対して光変調装置４の寿命を約７０００時間延ばすことができる。
【００５７】
さらに、本実施形態に基づく光源制御では、光源装置２の累積点灯時間が１００００時間よりも短い場合、光源装置２に対して光源装置２の定格電力を入力している。そのため、この期間における光源装置２の光源出力は比較例と等しくなる。よって、本実施形態に基づく光源制御を行った場合、光源装置２の累積点灯時間が短い期間において、比較例に基づく光源制御を行った場合と同等の光源出力を維持しつつ、比較例に基づく光源制御に対して光変調装置４の寿命を延ばすことができる。
【００５８】
上記のように、本実施形態に基づいた光源制御では、光源装置２の累積点灯時間が予め設定された第２累積点灯時間よりも短いとき、光源装置２に対して光源装置２の定格電力を入力する。そして、光源装置２の累積点灯時間が第２累積点灯時間を経過してから、光源装置２の累積点灯時間が長くなるほど光源装置２に入力される入力電力を減少させる第１制御を実行する。さらに、光源装置２の累積点灯時間が第１累積点灯時間を経過した場合、光源装置２の累積点灯時間が長くなるほど光源装置２に入力される入力電力を増加させる第２制御を実行する。
【００５９】
このような光源制御を行うことにより、本実施形態では、光源装置２以外の光学部品への光量負荷が比較例に比べて低減されるので、比較例に基づいた光源制御に比べて光源装置２以外の光学部品の寿命を延ばすことができる。よって、プロジェクター１を構成する各光学部品の寿命が延びるので、以ってプロジェクター１全体の製品寿命を延ばすことができる。さらに、本実施形態に基づいた光源制御では、光源装置２の累積点灯時間が第１累積点灯時間よりも短い期間において、比較例に基づいた光源制御を行った場合と同等の光源出力を維持することができる。
【００６０】
（第３実施形態）
続いて、第３実施形態に係るプロジェクター１について説明する。上記の各実施形態では、光源装置２に入力する入力電力を決定するパラメーターとして光源装置２の累積点灯時間を用いたが、入力電力を決定するパラメーターはこれに限定されず、適宜変更可能である。例えば、光源装置２から射出される光の光強度に基づいて入力電力を決定してもよい。
【００６１】
図９は、光強度に基づいて光源装置２を制御する場合のプロジェクター１の光学的な構成を表す概略構成図である。なお、上記の各実施形態におけるプロジェクター１と同様の構成については説明を省略する。図９に示すとおり、本実施形態におけるプロジェクター１では、上記の各実施形態におけるプロジェクター１の光学的な構成に加え、光源装置２から射出された光の光強度を測定するための測定部としての光センサー３０を備えている。
【００６２】
具体的には、色分離導光光学系３の反射ミラー８ａ，８ｃの反射面とは反対側の面に第１光センサー３０ａ及び第２光センサー３０ｂがそれぞれ設けられている。第１光センサー３０ａは、赤色光成分ＬＲの光強度を測定し、第２光センサー３０ｂは、青色光成分ＬＢの光強度を測定する。なお、光センサー３０は、赤色光成分ＬＲの光強度及び青色光成分ＬＢの光強度をそれぞれ測定することで、投射用の画像光のホワイトバランス調整にも利用できる。
【００６３】
続いて、本実施形態におけるプロジェクター１の機能的構成について説明する。
図１０は本実施形態におけるプロジェクター１の機能的構成を表すブロック図である。本実施形態におけるプロジェクター１では、図２に示したプロジェクター１の各構成に加え、光学的な構成として、光センサー３０を備えている。また、本実施形態における記憶部３３は、入力電力記憶部３５を含んでいるが、累積点灯時間記憶部３４を含んでいない。ここで、本実施形態における入力電力記憶部３５は、光センサー３０で測定される光強度の値と、その光強度が光センサー３０で検出された時点で光源装置２に入力すべき入力電力との対応関係を記憶している。本実施形態では、この対応関係はルックアップテーブル（ＬＵＴ）として記憶されるが、これ以外の方式で記憶されてもよい。例えば、光強度から光源装置２に入力すべき電力を導出する計算式として記憶されていてもよい。また、入力電力の決定に使用する光強度は、第１光センサー３０ａと第２光センサー３０ｂのどちらか一方の測定結果を利用してもよいし、両方の測定結果を利用してもよい。
【００６４】
続いて、本実施形態におけるプロジェクター１の制御方法について、図１１を用いて説明する。
図１１は、本実施形態におけるプロジェクター１の動作を示すフローチャートである。図１１に示すように、プロジェクター１に電源が投入されると（ステップＳ１１）、制御部３１は、光源装置２に最後に入力された入力電力の値を記憶部３３から読み出す（ステップＳ１２）。光源駆動部３２は、制御部３１の指示に基づいて読み出された入力電力を光源装置２に入力する（ステップＳ１３）。これにより、光源装置２から合成光ＷＬが射出される。光センサー３０は、光源装置２から射出された合成光ＷＬより分離された各色光の光強度を測定する（ステップＳ１４）。制御部３１は、測定された光強度と、所定の光強度との大小関係を判定する（ステップＳ１５）。
【００６５】
測定された光強度が、所定の光強度よりも大きい場合、制御部３１は、測定された光強度の値に対応する光源装置２への入力電力の値を、入力電力記憶部３５に記憶されているルックアップテーブルに基づいて決定する（ステップＳ１６）。一方、測定された光強度が、所定の光強度以下の場合、制御部３１は、記憶部３３から読み出された入力電力の値を所定の割合だけ増加させた値を入力電力として決定する（ステップＳ１７）。そして、制御部３１は、決定された入力電力の値を記憶部３３に記憶させる（ステップＳ１８）。そして、プロジェクター１の電源が切られるまで、上記のステップＳ１４からステップＳ１８を周期的に繰り返す（ステップＳ１９）。
【００６６】
続いて、本実施形態における光源装置２の制御方法について説明する。本実施形態では、入力電力記憶部３５が記憶している光強度と入力電力との対応関係は、予め設定された所定の光強度を境界として変化する。これ以降、所定の光強度を第１光強度と呼称する。
【００６７】
具体的には、光センサー３０で測定された光強度が第１光強度よりも大きい範囲において、光強度が小さくなるに従って光源装置２に入力される入力電力の値も小さくなるようにルックアップテーブルで設定されている。そして、光センサー３０で測定された光強度が第１光強度以下となった場合、制御部３１は、測定された光強度に対応して、光源装置２に入力されている入力電力の値を所定の割合だけ増加させる。なお、光源装置２に入力される入力電力の値が光源装置２の定格電力と等しくなった場合、それ以降は光源装置２の定格電力を入力するように設定されている。
【００６８】
上記のような光源制御を実行すると、累積点灯時間に対する光源装置２への入力電力の変化は次のようになる。即ち、測定された光強度が第１光強度よりも大きい範囲において、光源装置２の累積点灯時間が長くなるほど減少していく上記の第１制御と同様の挙動を示す。一方、光センサー３０で測定された光強度が第１光強度以下となった場合、光源装置２に入力される入力電力の値は、光源装置２の累積点灯時間が長くなるほど増加していく上記の第２制御と同様の挙動を示す。つまり、ルックアップテーブルに従って、測定される光強度が小さくなるほど入力電力を小さくする制御は、第１制御に相当し、光強度が第１光強度以下の場合に入力電力の値を所定の割合だけ増加させる制御は、第２制御に相当する。
【００６９】
また、このときの光源装置２の光源出力の変化は次のようになる。即ち、測定された光強度が第１光強度よりも大きい場合、光源装置２に入力される入力電力が徐々に減少していくため、光源装置２へ定格電力を入力し続ける場合と比較して光源出力が早く低下していく。一方、測定された光強度が第１光強度以下になった場合、光強度が低下するたびに入力電力を所定の割合だけ増加させるため、それに伴って光源装置２の光源出力も増加する。この制御を繰り返すことにより、点灯による光源装置２の劣化に起因する光源出力の低下が相殺され、光源装置２の光源出力はほぼ一定に維持される。そのため、光センサー３０で測定される光強度も第１光強度でほぼ一定となる。以上のように、光センサー３０で測定される光強度を用いても、上記の各実施形態と同等の光源制御を実行できる。
【００７０】
（変形例）
上記の各実施形態では、第１制御において、光源装置２に入力する入力電力を一定の割合、即ち、１次関数的に減少させている。しかしながら、光源装置２に入力する入力電力の減少させる態様はこれに限定されず、適宜変更できる。例えば、第１制御において、光源装置２に入力する入力電力を２次関数的に減少させても良い。これにより、光源装置２の累積点灯時間が少ない領域において、単位時間当たりの光源出力の低下の度合いが大きくなり、第１制御を実行している間に光源装置２以外の光学部品が受ける光量負荷をさらに低減できるため、光源装置２以外の光学部品に対する光量負荷をさらに低減でき、プロジェクター１全体の製品寿命をさらに延ばすことができる。
【００７１】
ここで、上記の各実施形態において、入力電力の値が光源装置２の累積点灯時間が長くなるほど増加する、あるいは、減少するとは、巨視的な時間スケールで見た場合の変化を示すのであって、微視的な時間スケールでは、入力電力の値が光源装置２の累積点灯時間に対して非連続的に変化しても良い。例えば、図５や図７で示されているように、数千時間単位の長いスケールで見た場合に、入力電力の値が光源装置２の累積点灯時間に対して連続的に増加、あるいは、減少していればよく、数時間や数分、数秒単位の短いスケールでは一定であり、それらが断続的に増加、あるいは、減少する挙動をとる場合も本願の各実施形態に包含される。
【００７２】
また、上記の各実施形態では、光源装置２として励起光源と蛍光素子を用いたものを示したが、光源装置２の構成はこれに限定されない。例えば、固体光源としてＬＥＤを用いてもよい。この場合、赤色、緑色、青色の各波長帯域で発光するＬＥＤをそれぞれ配置し、これらが発する各色光を合成して射出する。さらに、上記の各実施形態では、励起光源として青色の波長帯域の励起光を射出するものを示したが、紫色光または紫外光を射出する励起光源を用いてもよい。この場合、光源装置２は、紫色光または紫外光から赤色光、緑色光、及び青色光を含む色光を生成する蛍光素子を備える。
【００７３】
また、上記の各実施形態では、光変調装置４として液晶ライトバルブ４Ｒ，４Ｇ，４Ｂを用いているが、光変調装置４の構成はこれに限定されない。光変調装置４としては、一般に、画像信号に応じて入射光を変調するものであればよく、マイクロミラー型光変調装置などを用いてもよい。マイクロミラー型光変調装置としては、例えば、ＤＭＤ（デジタルマイクロミラーデバイス）を用いることができる。さらに、上記の各実施形態では、透過型の液晶ライトバルブ４Ｒ，４Ｇ，４Ｂを用いているが、反射型の液晶ライトバルブであってもよく、例えば、ＬＣＯＳ（Liquid Crystal On Silicon）などを用いることができる。
【００７４】
以下に、実施形態から導き出される内容を記載する。
【００７５】
本願の投射型表示装置は、固体光源を含み、光を射出する光源装置と、前記光源装置から射出された光を変調する光変調装置と、前記光変調装置で変調された画像光を投射する投射光学系と、前記光源装置に入力される入力電力を制御する制御部と、を備え、前記制御部は、前記光源装置の累積点灯時間が長くなるほど前記入力電力を減少させる第１制御を実行した後に、前記光源装置の累積点灯時間が長くなるほど前記入力電力を増加させる第２制御を実行することを特徴とする。
【００７６】
この構成によれば、まず光源装置の累積点灯時間が長くなるほど光源装置に入力される入力電力を減少させ、その後で光源装置の累積点灯時間が長くなるほど入力電力を増加させる。このような光源制御を行うことにより、常に一定の電力を入力し続ける光源制御を行う場合と比べて光源装置から射出される累積の光エネルギーが減少する。従って、光源装置以外の光学部品に照射される累積の光エネルギーも減少するため、光源装置以外の光学部品に対する光量負荷が減少し、光源装置以外の光学部品の寿命が延びるので、投射型表示装置の製品寿命を延ばすことができる。
【００７７】
上記の投射型表示装置において、前記第２制御は、前記光源装置の出力である光源出力が第１出力で維持されるように前記入力電力を増加させる制御であることが好ましい。
【００７８】
この構成によれば、第２制御の実行時において、光源出力は第１出力で維持される。従って、光源出力が必要以上に低下することがないため、投射型表示装置から射出される光の明るさを一定水準以上確保することができる。
【００７９】
上記の投射型表示装置において、前記光源装置の前記累積点灯時間と前記入力電力との対応関係を記憶する記憶部をさらに備え、前記制御部は、前記対応関係に基づいて、前記入力電力を決定することが好ましい。
【００８０】
この構成によれば、光源装置に入力される入力電力は、光源装置の累積点灯時間と対応付いているため、光源装置に入力すべき入力電力を容易に決定することができる。
【００８１】
上記の投射型表示装置において、前記制御部は、前記累積点灯時間が第１累積点灯時間に達するまで、前記第１制御を実行し、前記累積点灯時間が前記第１累積点灯時間を超えた場合、前記第２制御を実行することが好ましい。
【００８２】
この構成によれば、第１累積点灯時間を閾値として、第１制御と第２制御を容易に切り替えることができる。
【００８３】
上記の投射型表示装置において、前記光源装置から射出された光の光強度を測定する測定部をさらに備え、前記制御部は、前記測定部により測定された前記光強度に基づいて、前記入力電力を決定することが好ましい。
【００８４】
この構成によれば、光源装置から射出された光の光強度に基づいて入力電力を決定するため、実際の光源装置の劣化状況に応じた制御を行うことが可能となる。
【００８５】
上記の投射型表示装置において、前記制御部は、前記光強度が第１光強度よりも大きい場合、前記第１制御を実行し、前記光強度が前記第１光強度以下になった場合、前記第２制御を実行することが好ましい。
【００８６】
この構成によれば、第１光強度を閾値として、第１制御と第２制御を容易に切り替えることができる。
【００８７】
上記の投射型表示装置において、前記光源装置は、励起光を射出する励起光源と、前記励起光により励起され、蛍光を生成する蛍光素子と、を備えることが好ましい。
【００８８】
この構成によれば、投射型表示装置の光源装置として、励起光源と蛍光素子を用いた固体光源を利用することができる。
【００８９】
本願の投射型表示装置の制御方法は、固体光源を含み、光を射出する光源装置と、前記光源装置から射出された光を変調する光変調装置と、前記光変調装置で変調された画像光を投射する投射光学系と、を備える投射型表示装置の制御方法であって、前記光源装置の累積点灯時間が長くなるほど前記光源装置に入力される入力電力を減少させる第１制御を実行し、前記第１制御の後で、前記累積点灯時間が長くなるほど前記入力電力を増加させる第２制御を実行することを特徴とする。
【００９０】
この制御方法によれば、まず光源装置の累積点灯時間が長くなるほど光源装置に入力される入力電力を減少させ、その後で光源装置の累積点灯時間が長くなるほど入力電力を増加させる。これにより、常に一定の電力を入力し続ける光源装置の制御方法と比べて光源装置から射出される累積の光エネルギーが減少する。従って、光源装置以外の光学部品に照射される累積の光エネルギーも減少するため、光源装置以外の光学部品に対する光量負荷が減少し、光源装置以外の光学部品の寿命が延びるので、投射型表示装置の製品寿命を延ばすことができる。
【符号の説明】
【００９１】
１…プロジェクター、２…光源装置、３…色分離導光光学系、４…光変調装置、４Ｒ，４Ｇ，４Ｂ…液晶ライトバルブ、５…色合成光学系、６…投射光学系、７ａ，７ｂ…ダイクロイックミラー、８ａ，８ｂ，８ｃ…反射ミラー、９ａ，９ｂ…リレーレンズ、１０Ｒ，１０Ｇ，１０Ｂ…フィールドレンズ、１１…第１励起光源、１２…第１集光レンズ、１３…蛍光体、１４…蛍光素子、１５…第１コリメーター、１５ａ，１５ｂ…コリメーターレンズ、１６…第２励起光源、１７…第２集光レンズ、１８…拡散板、１９…第２コリメーター、１９ａ，１９ｂ…コリメーターレンズ、２０…ビームスプリッター、２１…マルチレンズアレイ、２１ａ…第１マルチレンズアレイ、２１ｂ…第２マルチレンズアレイ、２２…偏光変換素子、２３…重畳レンズ、３０…光センサー、３０ａ…第１光センサー、３０ｂ…第２光センサー、３１…制御部、３２…光源駆動部、３３…記憶部、３４…累積点灯時間記憶部、３５…入力電力記憶部、３６…画像信号入力部、３７…画像処理部、３８…外部ソース、ＢＬ…励起光、ＹＬ…蛍光、ＷＬ…合成光、ＬＲ…赤色光成分、ＬＧ…緑色光成分、ＬＢ…青色光成分、ＳＣＲ…スクリーン、ａｘ１，ａｘ２…光軸。
【図１】
2020067492.tif 000003
【図２】
2020067492.tif 000004
【図３】
2020067492.tif 000005
【図４】
2020067492.tif 000006
【図５】
2020067492.tif 000007
【図６】
2020067492.tif 000008
【図７】
2020067492.tif 000009
【図８】
2020067492.tif 000010
【図９】
2020067492.tif 000011
【図１０】
2020067492.tif 000012
【図１１】
2020067492.tif 000013